(57)【要約】【課題】蓄電池の充電状態などを表示する発光素子の点灯状態を視認し易く、且つ表示板の視認性の低下を抑制する誘導灯を提供する。【解決手段】前面が開口する矩形箱状の灯具本体１と、灯具本体１の前面側に取着される枠体２と、灯具本体１と枠体２との間に配設される表示板３と、表示板３の前方に配設されて表示板３を保護する保護カバー４と、灯具本体１の内部に収納された蓄電池の充電状態を表示する第１の発光素子６と、灯具本体１の内部に収納された光源の動作状態を表示する第２の発光素子６とを備え、前面視において枠体２の開口部２ａの開口サイズは、表示板３の外周縁との間に隙間が形成されるように設定され、第１の発光素子６および第２の発光素子６の出射光が保護カバー４の後面で反射されず、特定の方向に照射されるように、前面視において当該隙間の位置に対応する位置に第１の発光素子６および第２の発光素子６が配設されている。【選択図】図１
2011134500.tif 000002
【特許請求の範囲】
【請求項１】
造営面に埋め込み配設される誘導灯であって、前面が開口する矩形箱状の灯具本体と、中央部に矩形状の開口部を有し、灯具本体の前面側に取着される矩形枠状の枠体と、灯具本体と枠体との間に配設される矩形板状の表示板と、表示板の前方に配設されて表示板を保護する矩形板状の保護カバーと、灯具本体の内部に収納された蓄電池の充電状態を表示する第１の発光素子と、灯具本体の内部に収納された光源の動作状態を表示する第２の発光素子とを備え、枠体の開口部の開口サイズは、前面視において表示板の外周縁との間に隙間が形成されるように設定され、第１の発光素子および第２の発光素子の出射光が保護カバーの後面で反射されず、特定の方向に照射されるように、前面視において当該隙間の位置に対応する位置に第１の発光素子および第２の発光素子が配設されてなることを特徴とする誘導灯。
【請求項２】
前記枠体の後面の少なくとも一部に、前記第１の発光素子および前記第２の発光素子からの出射光を反射して、前記特定の方向に当該出射光を照射させる反射部が配設されてなることを特徴とする請求項１記載の誘導灯。
【請求項３】
前記第１の発光素子および前記第２の発光素子からの出射光が、前記保護カバーの後面で正反射されて、前記表示板の前面に照射されないように、前記第１の発光素子および前記第２の発光素子が配設されてなることを特徴とする請求項１記載の誘導灯。
【請求項４】
前記枠体の後面の一部と前記表示板の前面の一部に、前記保護カバーの後面で反射された反射光を遮光するリブが配設されてなることを特徴とする請求項１記載の誘導灯。
【発明の詳細な説明】
【技術分野】
【０００１】
本発明は、誘導灯に関するものである。
【背景技術】
【０００２】
従来から、誘導灯は表示板を照射させて視認性を確保すると共に、誘導灯に内蔵された蓄電池の充電状態や光源（例えば、冷陰極蛍光ランプ、ＬＥＤなど）の動作状態を表示する発光素子（例えば、ＬＥＤなど）を設置することが義務付けられている。このような誘導灯は、天井から吊り下げて配設されたり、壁面や床面などに直付け、あるいは、埋め込み配設され、避難誘導用の標識として用いられている。
【０００３】
壁面や床面などの造営面に埋め込み配設される誘導灯としては、例えば、図８に示すように、前面が開口する矩形箱状の灯具本体１’と、中央部に矩形状の開口部２ａ’を有し、灯具本体１’の前面側に取着される矩形枠状の枠体２’と、枠体２’に保持された矩形板状の透光パネル１７と、灯具本体１’内の中央部に配置された直管型の冷陰極蛍光ランプからなる光源１４’と、停電時において光源１４’に電源を供給する蓄電池１１’と、蓄電池１１’の充電状態を点灯または消灯にて表示する第１の発光素子６ｂ’および光源１４’の動作状態を点灯または消灯にて表示する第２の発光素子６ａ’を具備し、灯具本体１’の前面側の下部と枠体２’の下部との間に保持されたモニターユニット５’とを備えたものが提案されている（例えば、特許文献１参照）。
【０００４】
また、他の構成例を示す誘導灯としては、例えば、図９に示すように、前面が開口する矩形箱状の灯具本体１’と、中央部に矩形状の開口部２ａ’を有し、灯具本体１’の前面側に取着される矩形枠状の枠体２’と、前面に左右方向を指し示す矢印や人物を模したピクトグラムで構成される表示パターン（図示せず）が印刷された矩形板状の表示板３’と、表示板３’の前方に配設されて表示板３’を保護する矩形板状の保護カバー４’と、灯具本体１’内の中央部に配置された直管型の冷陰極蛍光ランプからなる光源１４’と、停電時において光源１４’に電源を供給する蓄電池１１’と、蓄電池１１’の充電状態を点灯または消灯にて表示する発光素子からなる充電ランプ１８を具備したモニターユニット５’とを備え、充電ランプ１８の出射面を表示板３’の後面に近接させて配設し、充電ランプ１８の出射光が表示板３’を透過して、保護カバー４’の前面から照射され、充電ランプ１８の点灯状態が灯具本体１’の外部から保護カバー４’および表示板３’を通して視認されるものが提案されている（例えば、特許文献２参照）。
【０００５】
さらに、他の構成例を示す誘導灯としては、例えば、図１０に示すように、前面が開口する矩形箱状の灯具本体１’と、中央部に矩形状の開口部２ａ’を有し、灯具本体１’の前面側に取着される矩形枠状の枠体２’と、前面に人物を模したピクトグラムで構成される表示パターンＰ’が印刷された矩形板状の表示板３’と、表示板３’の前方に配設されて表示板３’を保護する矩形板状の保護カバー４’と、灯具本体１’の内部に配設され、例えば冷陰極蛍光ランプからなる光源（図示せず）と、停電時において上記光源に電源を供給する蓄電池（図示せず）と、上記蓄電池の充電状態を点灯または消灯にて表示する第１の発光素子６ｂ’および上記光源の動作状態を点灯または消灯にて表示する第２の発光素子６ａ’を具備したモニターユニット５’とを備えたものが知られている。なお、枠体２’の開口部２ａ’の開口寸法は、表示板３’および保護カバー４’の外形寸法と略同寸法で設定されている。
【先行技術文献】
【特許文献】
【０００６】
【特許文献１】特開平８−７７８２２号公報
【特許文献２】特開２００７−２５０２６７号公報
【発明の概要】
【発明が解決しようとする課題】
【０００７】
ところで、図８に示した誘導灯では、モニターユニット５’が灯具本体１’の前面側の下部と枠体２’の下部との間に配設されているため、第１の発光素子６ｂ’および第２の発光素子６ａ’の点灯状態を確認する場合、点検作業者が造営面に顔を近づけて誘導灯の下面側を覗き込まなければならない。
【０００８】
また、図９に示した誘導灯では、モニターユニット５’が表示板３’の後面近傍に配設されているため、充電ランプ１８の出射光が保護カバー４’の後面にて反射し、保護カバー４’の後面にて反射した反射光が表示板３’の前面に照射され、表示板３’の視認性に影響を与えることが懸念される。
【０００９】
さらに、図１０に示した誘導灯では、モニターユニット５’が枠体２’の後面に配設されているため、第１の発光素子６ｂ’および第２の発光素子６ａ’の点灯状態を確認する場合、枠体２’および表示板３’を灯具本体１’から取り外して、第１の発光素子６ｂ’および第２の発光素子６ａ’の点灯状態を確認しなければならない。
【００１０】
本発明は上記の事由に鑑みて為されたものであり、その目的は、蓄電池の充電状態を表示する第１の発光素子および光源の動作状態を表示する第２の発光素子の点灯状態を視認し易く、且つ、表示板の視認性の低下を抑制する誘導灯を提供することにある。
【課題を解決するための手段】
【００１１】
請求項１の発明は、造営面に埋め込み配設される誘導灯であって、前面が開口する矩形箱状の灯具本体と、中央部に矩形状の開口部を有し、灯具本体の前面側に取着される矩形枠状の枠体と、灯具本体と枠体との間に配設される矩形板状の表示板と、表示板の前方に配設されて表示板を保護する矩形板状の保護カバーと、灯具本体の内部に収納された蓄電池の充電状態を表示する第１の発光素子と、灯具本体の内部に収納された光源の動作状態を表示する第２の発光素子とを備え、枠体の開口部の開口サイズは、前面視において表示板の外周縁との間に隙間が形成されるように設定され、第１の発光素子および第２の発光素子の出射光が保護カバーの後面で反射されず、特定の方向に照射されるように、前面視において当該隙間の位置に対応する位置に第１の発光素子および第２の発光素子が配設されてなることを特徴とする。
【００１２】
この発明によれば、第１の発光素子および第２の発光素子の出射光を上記特定の方向に照射させることによって、第１の発光素子および第２の発光素子の点灯状態が確認し易くなり、また、第１の発光素子および第２の発光素子の出射光は保護カバーの後面で反射されずに透過するので、第１の発光素子および第２の発光素子からの出射光が表示板の前面に映り込むことを防止し、表示板の視認性の低下を抑制することができる。
【００１３】
請求項２の発明は、請求項１の発明において、前記枠体の後面の少なくとも一部に、前記第１の発光素子および前記第２の発光素子からの出射光を反射して、前記特定の方向に当該出射光を照射させる反射部が配設されてなることを特徴とする。
【００１４】
この発明によれば、前記枠体の後面の少なくとも一部に反射部を配設し、前記第１の発光素子および前記第２の発光素子からの出射光を反射部の一表面側で反射させ、反射部にて反射された反射光を前記特定の方向に照射させることによって、前記第１の発光素子および前記第２の発光素子の点灯状態を確認することができ、また、前記灯具本体の内部での前記第１の発光素子および前記第２の発光素子の配置の自由度が高くなる。
【００１５】
請求項３の発明は、請求項１の発明において、前記第１の発光素子および前記第２の発光素子からの出射光が、前記保護カバーの後面で正反射されて、前記表示板の前面に照射されないように、前記第１の発光素子および前記第２の発光素子が配設されてなることを特徴とする。
【００１６】
この発明によれば、前記第１の発光素子および前記第２の発光素子からの出射光が、前記保護カバーの後面にて正反射されて、前記保護カバーの後面にて正反射された反射光が前記表示板の前面に照射されないように、前記第１の発光素子および前記第２の発光素子を配設することによって、前記第１の発光素子および前記第２の発光素子からの出射光が前記表示板の前面に映り込むことを防止し、前記表示板の視認性の低下を抑制することができる。
【００１７】
請求項４の発明は、請求項１の発明において、前記枠体の後面の一部と前記表示板の前面の一部に、前記保護カバーの後面で反射された反射光を遮光するリブが配設されてなることを特徴とする。
【００１８】
この発明によれば、前記枠体の後面の一部と前記表示板の前面の一部に、前記保護カバーの後面にて反射された反射光を遮光するリブを配設することによって、上記反射光が遮光され、前記表示板の前面に映り込むことを防止し、前記表示板の視認性の低下を抑制することができる。
【発明の効果】
【００１９】
請求項１の発明では、第１の発光素子および第２の発光素子の点灯状態が視認し易く、且つ、表示板の視認性の低下を抑制することができるという効果がある。
【図面の簡単な説明】
【００２０】
【図１】実施形態１の誘導灯の要部概略断面図である。
【図２】同上の誘導灯を示した分解斜視図である。
【図３】同上の誘導灯を示した斜視図である。
【図４】実施形態２の誘導灯の要部概略断面図である。
【図５】実施形態３の誘導灯の要部概略断面図である。
【図６】実施形態４の誘導灯の要部概略断面図である。
【図７】同上の誘導灯を示した要部斜視図である。
【図８】従来例を示す誘導灯を示した斜視図である。
【図９】他の従来例を示す誘導灯を示した平面図である。
【図１０】さらに他の従来例を示す誘導灯を示した斜視図である。
【発明を実施するための形態】
【００２１】
（実施形態１）
以下、本実施形態の誘導灯について、図１〜図３を参照しながら説明する。なお、以下の説明では特に断りがない限り、図３中の矢印ａ−ｂの方向を上下方向、矢印ｃ−ｄの方向を左右方向として説明する。
【００２２】
本実施形態の誘導灯は、例えば、壁面や床面などの造営面２６に埋め込み配設され、避難誘導用の標識として用いられるものであり、図２に示すように、前面が開口する矩形箱状の灯具本体１と、灯具本体１の前面側に取着される枠体２と、灯具本体１と枠体２との間に配設される矩形板状の表示板３と、枠体２と表示板３との間に配設されて表示板３を保護する矩形板状の保護カバー４と、防水のために枠体２と保護カバー４との間に配設される矩形枠状のパッキン７と、表示板３と灯具本体１との間に配設され、直管型の冷陰極蛍光ランプからなる光源１４と停電時において光源１４に電源を供給する蓄電池１１などが収納されたベースユニット１０と、表示板３とベースユニット１０との間に配設され、ベースユニット１０の左右方向における両端側に配設された光源１４からの出射光を透過させ、表示板３の後面に照射させる矩形板状の導光板８と、導光板８の後面側に配設され、光源１４からの出射光を反射させる矩形板状の反射板９とで構成され、造営面２６に埋め込み配設された矩形箱状の埋込ボックス２０内に収納される。
【００２３】
灯具本体１は、例えばステンレス製であって、灯具本体１の前面の開口縁から外方に、鍔部１ａが延設されており、鍔部１ａには、枠体２を固定する固定ねじ２１が螺合される複数（図示例では、６個）のねじ孔１ｂが貫設されている。また、鍔部１ａは埋込ボックス２０の開口縁から外方に延設された周部（図示せず）に重なるように配設されている。
【００２４】
枠体２は、例えばステンレス製であって、中央部に矩形状の開口部２ａを有し、矩形枠状に形成されている。また、枠体２の外周部には、ねじ孔１ｂの位置に対応する位置に、固定ねじ２１が挿通される複数（図示例では、６個）のねじ孔２ｂが貫設されている。また、枠体２の開口部２ａの開口サイズは、前面視において表示板３の外周縁との間に隙間が形成されるように設定されている。
【００２５】
パッキン７は、例えば合成樹脂からなる成形品であって、中央部に枠体２の開口部２ａと略同寸法の開口部７ａを有し、枠体２と略同じ外形寸法で形成されている。また、パッキン７の外周部には、灯具本体１のねじ孔１ｂに対応する位置に、固定ねじ２１が挿通される複数（図示例では、６個）のねじ孔７ｂが貫設されている。
【００２６】
保護カバー４は、例えば透明な強化ガラスであって、矩形板状の前面カバー４ａおよび後面カバー４ｂの二重構造に形成され、後面カバー４ｂは前面カバー４ａよりも平面積が大きく形成されている。また、前面カバー４ａの外形寸法は、枠体２の開口部２ａの開口寸法と略同寸法に設定されており、組み立て時において前面カバー４ａの前面が枠体２の開口部２ａを通して造営面２６側に露出される。なお、前面カバー４ａの外形寸法を枠体２の開口部２ａの開口寸法と略同寸法することによって、雨水などの浸入を防ぎ、誘導灯の防水性を確保している。
【００２７】
表示板３は、例えば合成樹脂からなる成形品であって、左右方向を指し示す矢印や人物を模したピクトグラムで構成される表示パターンＰが前面に印刷されている。
【００２８】
導光板８は、例えば透明はアクリル樹脂からなる成形品であって、表示板３の外形寸法と略同寸法で形成されている。
【００２９】
反射板９は、上下方向と左右方向とに直交する方向の両端縁が上方向に折り曲げられ、導光板８を保持している。
【００３０】
ベースユニット１０は、前面が開口する矩形箱状であって、光源１４と、蓄電池１１と、光源１４を点灯させる点灯回路部１５と、光源１４、蓄電池１１、点灯回路部１５などに電力を供給する電源回路部１６と、蓄電池１１の充電状態および光源１４の動作状態を表示するＬＥＤからなる発光素子６を具備したモニターユニット５とが収納されている。なお、発光素子６は、蓄電池１１の充電状態を点灯または消灯にて表示するＬＥＤからなる第１の発光素子６ｂと、光源１４の動作状態を点灯または消灯にて表示するＬＥＤからなる第２の発光素子とで構成される。また、ベースユニット１０の左右方向の両端縁には略コ字型に形成された保持金具２２が配設されており、保持金具２２には光源１４が取り付けられ、光源１４から照射された出射光が導光板８の左右方向における両端側から、導光板８の内部を透過して表示板３の後面に照射される。なお、光源１４は冷陰極蛍光ランプに限らず、例えば複数のＬＥＤであってもよい。また、表示板３の後面に光源１４からの出射光を照射させる方法に導光式を用いているが、内照式であってもよい。
【００３１】
以下に、本実施形態の誘導灯の組み立て手順を説明する。なお、蓄電池１１、光源１４、点灯回路部１５、電源回路部１６、モニターユニット５は予めベースユニット１０に収納され、図示しない電線は、蓄電池１１、光源１４、点灯回路部１５、電源回路部１６、モニターユニット５に予め接続されているものとして説明する。
【００３２】
まず、組立作業者が造営面２６に埋め込み配設された埋込ボックス２０内に灯具本体１を収納し、埋込ボックス２０の左右方向における左側壁に形成された電線孔２０ａを通して外部から電源を供給する電源線２３を、灯具本体１に形成された電線孔（図示せず）を通って灯具本体１内に導入する。次に、ベースユニット１０を灯具本体１内に収納した後、電源線２３を電源回路部１６の入力部（図示せず）に接続し、ベースユニット１０の前方に、反射板９、導光板８、表示板３、保護カバー４を順番に積層して配置する。最後に、保護カバー４の前方に、パッキン７、枠体２を順番に積層し、各ねじ孔７ｂおよび各ねじ孔２ｂに挿通した各固定ねじ２１を灯具本体１の各ねじ孔１ｂに螺合させることにより、図３に示す誘導灯の組み立てが完了する。
【００３３】
ここで、モニターユニット５における各発光素子６は、図１に示すように、発光素子６の出射光が、前面視において枠体２の開口部２ａと表示板３の外周縁との間に形成された隙間の位置から、保護カバー４の後面で反射されずに透過して、枠体２の開口部２ａの法線方向に対して斜め前方（図１中の矢印ａの向き）に照射されるように配設されている。したがって、点検作業者が造営面２６から発光素子６の点灯状態を確認する場合、造営面２６に顔を近づけて誘導灯の近傍で覗き込んだり、枠体２および表示板３を灯具本体１から取り外したりする必要がなく、発光素子６の点灯状態が視認し易くなり、また、発光素子６の出射光は保護カバー４の後面で反射されずに透過するので、発光素子６からの出射光が表示板３の前面に映り込むことを防止し、表示板３の前面に印刷された表示パターン（図示せず）の視認性の低下を抑制することができる。
【００３４】
以上説明した本実施形態の誘導灯では、発光素子６の出射光を上記斜め前方に照射させることによって、発光素子６の点灯状態が確認し易くなり、また、発光素子６の出射光は保護カバー４の後面で反射されずに透過するので、発光素子６からの出射光が表示板３の前面に映り込むことを防止し、表示板３の視認性の低下を抑制することができる。
【００３５】
（実施形態２）
本実施形態の誘導灯の基本構成は実施形態１と同じであり、図４に示すように、枠体２の後面の一部に、発光素子６からの出射光を反射して、上記斜め前方に当該出射光を照射する反射部１９を突設している点が実施形態１と相違するだけなので、実施形態１と同様の構成要素には同一の符号を付して説明を適宜省略する。
【００３６】
本実施形態における発光素子６は、発光素子６の出射光が反射部１９の一表面側で反射され、反射部１９の一表面側にて反射された反射光が保護カバー４の後面で反射されず、上記斜め前方に照射されるように配設されている（ここで、反射部１９は灯具本体１の側壁に沿って配設されている）。したがって、点検作業者が造営面２６から発光素子６の点灯状態を視認することができ、灯具本体１の内部での発光素子６の配置の自由度が高くなる。
【００３７】
以上説明した本実施形態の誘導灯では、枠体２の後面の少なくとも一部に反射部１９を配設し、発光素子６からの出射光を反射部１９の一表面側で反射させ、反射部１９にて反射された反射光を上記斜め前方の方向に照射させることによって、発光素子６の点灯状態を確認することができ、また、灯具本体１の内部での発光素子６の配置の自由度が高くなる。
【００３８】
（実施形態３）
図５に示す本実施形態の誘導灯の基本構成は実施形態１と同じであり、指向性が強い発光素子６を用いて、発光素子６の光軸と保護カバー４の後面とのなす角を小さくしている点などが実施形態１と相違するだけなので、実施形態１と同様の構成要素には同一の符号を付して説明を適宜省略する。
【００３９】
本実施形態における発光素子６は、指向性が強い発光素子６からの出射光が保護カバー４の後面で正反射されて、保護カバー４の後面にて正反射された反射光が表示板３の前面に照射されないように配設されている。したがって、指向性が強い発光素子６からの出射光が表示板３の前面に映り込むことを防止し、表示板３の前面に印刷された表示パターン（図示せず）の視認性の低下を抑制することができる。
【００４０】
以上説明した本実施形態の誘導灯では、発光素子６からの出射光が、保護カバー４の後面にて正反射されて、保護カバー４の後面にて正反射された反射光が表示板３の前面に照射されないように、発光素子６を配設することによって、発光素子６からの出射光が表示板３の前面に映り込むことを防止し、表示板３の視認性の低下を抑制することができる。
【００４１】
（実施形態４）
以下、本実施形態の誘導灯について、図６〜図７を参照しながら説明する。
【００４２】
本実施形態の誘導灯の基本構成は実施形態１と同じであり、図６や図７に示すように、枠体２の後面の一部に遮光性を有するリブ２５と、表示板３の前面の一部に遮光性を有するリブ２７とを設けている点が実施形態１と相違するだけなので、実施形態１と同様の構成要素には同一の符号を付して説明を適宜省略する。
【００４３】
本実施形態における枠体２は、図７に示すように、枠体２の後面の一部に、例えば合成樹脂からなる成形品で形成され、遮光性を有するリブ２５が、枠体２の開口部２ａの開口縁に沿って配置され、前面視において枠体２の開口部２ａとリブ２５との間に隙間が形成されるように配設されている。
【００４４】
表示板３は、図６に示すように、表示板３の前面の一部に、例えば合成樹脂からなる成形品で形成され、遮光性を有するリブ２７が配設されている。したがって、発光素子６からの出射光が保護カバー４の後面で反射され、保護カバー４の後面にて反射された反射光が枠体２の後面の一部に配設されたリブ２５と表示板３の前面の一部に配設されたリブ２７によって遮光され、上記反射光が表示板３の前面以外に照射されるので、表示板３の前面に映り込むことを防止し、表示板３の前面に印刷された表示パターンＰの視認性の低下を抑制することができる。
【００４５】
以上説明した本実施形態の誘導灯では、枠体２の後面の一部と表示板３の前面の一部に、保護カバー４の後面にて反射された反射光を遮光するリブ２５およびリブ２７を配設することによって、上記反射光が遮光され、表示板３の前面に映り込むことを防止し、表示板３の視認性の低下を抑制することができる
【符号の説明】
【００４６】
１  灯具本体
２  枠体
２ａ  開口部
３  表示板
４  保護カバー
６ｂ  第１の発光素子
６ａ  第２の発光素子
１１  蓄電池
１４  光源
１９  反射部
２５、２７  リブ
２６  造営面
Ｐ  表示パターン
【図１】
2011134500.tif 000003
【図２】
2011134500.tif 000004
【図３】
2011134500.tif 000005
【図４】
2011134500.tif 000006
【図５】
2011134500.tif 000007
【図６】
2011134500.tif 000008
【図７】
2011134500.tif 000009
【図８】
2011134500.tif 000010
【図９】
2011134500.tif 000011
【図１０】
2011134500.tif 000012